(57)【要約】【課題】複数の壁パネル同士の嵌合部の視認性を緩和した壁パネルを提供すること。【解決手段】建物の壁面に設けられ、複数並んで配置される矩形状の壁パネル１であって、壁パネル１の縁に対して平行に延びる複数の細長いブリック部１０を備え、ブリック部１０は、ブリック部１０の短手方向の少なくとも一端側において長手方向に延びて形成され、表面側に突出する第１突出部２１と、第１突出部２１に隣接して長手方向に延びて形成された曲面状の凹部２０と、を有し、第１突出部２１は、凹部２０の曲面に連続し、凹部２０の曲率半径よりも小さな曲率半径を有する曲面を有する壁パネル１である。【選択図】図１
2018105056.tif 000002
【特許請求の範囲】
【請求項１】
建物の壁面に設けられ、複数並んで配置される矩形状の壁パネルであって、
前記壁パネルの縁に対して平行に延びる複数の細長いブリック部を備え、
前記ブリック部は、
前記ブリック部の短手方向の少なくとも一端側において長手方向に延びて形成され、表面側に突出する第１突出部と、
前記第１突出部に隣接して長手方向に延びて形成された曲面状の凹部と、を有し、
前記第１突出部は、前記凹部の曲面に連続し、前記凹部の曲率半径よりも小さな曲率半径を有する曲面を有する壁パネル。
【請求項２】
前記複数のブリック部には、前記第１突出部が上側となるように配置されるブリック部と、前記第１突出部が下側となるように配置されるブリック部と、が含まれる請求項１に記載の壁パネル。
【請求項３】
複数の化粧部をさらに有し、
前記ブリック部は、互いに隣接するように複数配置される請求項１又は２に記載の壁パネル。
【請求項４】
前記ブリック部は、前記短手方向の他端側において長手方向に延びて形成され、前記第１突出部よりも突出高さが高い第２突出部を有する請求項１〜３のいずれか１項に記載の壁パネル。
【発明の詳細な説明】
【技術分野】
【０００１】
本発明は、壁パネルに関する。
【背景技術】
【０００２】
従来、建物の壁面等の外表面には、意匠的な模様を施した壁パネルが複数並べて設けられている。壁パネル同士が隣接する部分では、壁パネルは互いに嵌合により接続されている。壁パネルには、表面に凹凸等の起伏のあるブリック部が複数形成され、ブリック部により壁面の意匠が形成される。壁等の意匠性を高めるため、ブリック部の表面に斜面や微細凹凸等で複数のパターンの模様を形成し、複数のパターンのブリック部を混在させて配置させることが提案されている（例えば、特許文献１参照）。
【先行技術文献】
【特許文献】
【０００３】
【特許文献１】特開２００３−１３５８０号公報
【発明の概要】
【発明が解決しようとする課題】
【０００４】
ブリック部の表面に斜面や凹凸を形成し、いくつかのパターンでそれぞれ形成されるブリック部を混在させた場合でも、壁パネルを隣接するように配置する施工上、壁パネル同士の嵌合部が目立つ場合がある。嵌合部が目立つと、壁面の意匠性が損なわれるという問題があった。
【０００５】
本発明は、複数の壁パネル同士の嵌合部の視認性を緩和した壁パネルを提供することを目的とする。
【課題を解決するための手段】
【０００６】
上記目的を達成するため本発明は、建物の壁面に設けられ、複数並んで配置される矩形状の壁パネル（例えば、後述の壁パネル１）であって、前記壁パネルの縁に対して平行に延びる複数の細長いブリック部（例えば、後述のブリック部１０）を備え、前記ブリック部は、前記ブリック部の短手方向の少なくとも一端側において長手方向に延びて形成され、表面側に突出する第１突出部（例えば、後述の突出部２１）と、前記第１突出部に隣接して長手方向に延びて形成された曲面状の凹部（例えば、後述の凹部２０）と、を有し、前記第１突出部は、前記凹部の曲面に連続し、前記凹部の曲率半径よりも小さな曲率半径を有する曲面を有する壁パネルを提供する。
【０００７】
また、前記複数のブリック部には、前記第１突出部が上側となるように配置されるブリック部と、前記第１突出部が下側となるように配置されるブリック部と、が含まれることが好ましい。
【０００８】
また、複数の化粧部（例えば、後述の化粧部９）をさらに有し、前記ブリック部は、互いに隣接するように複数配置されることが好ましい。
【０００９】
前記ブリック部は、前記短手方向の他端側において長手方向に延びて形成され、前記第１突出部よりも突出高さが高い第２突出部（例えば、後述の膨出部２２）を有することが好ましい。
【発明の効果】
【００１０】
本発明によれば、複数の壁パネル同士の嵌合部の視認性を緩和した壁パネルを提供することができる。
【図面の簡単な説明】
【００１１】
【図１】本実施形態の壁パネルの正面図である。
【図２】本実施形態のブリック部の斜視図である。
【図３】図１のＡ−Ａ断面図である。
【図４】本実施形態のブリック部の部分斜視図であり、（ａ）図は突出部２１が下側となるように配置された場合を示し、（ｂ）図は、突出部２１が上側となるように配置された場合を示す。
【発明を実施するための形態】
【００１２】
以下、本発明の実施形態について図面を参照しながら詳しく説明する。
図１は、壁パネル１の正面図である。壁パネル１は、いわゆる窯業サイディングの外壁用板材であり、建物の壁面に設けられる。壁パネル１は、矩形状の壁パネル１同士が複数並んで配置され、互いに嵌合されて設置される。壁パネル１は、ブリック部１０と、目地部７と、化粧部９と、を有する。
【００１３】
ブリック部１０は、壁パネル１の表面側に複数並べて配置される細長い凸部である。ブリック部１０は、壁パネル１の背面側から表面側へ立体的に盛り上がって形成され、壁パネル１の縁に対して平行に延びるように並べて配置される。具体的には、ブリック部１０は、その長手方向が略水平方向に沿うように並べられる。壁パネル１には、ブリック部１０と、後述する化粧部９とが混在して並べられている。
【００１４】
図２は、ブリック部１０の斜視図である。図３は、図１のＡ−Ａ断面図である。
ブリック部１０は、表面部２と、裏面部３と、第一面４と、第二面５と、一対の側面部６と、を有する立体的な形状を有する。ブリック部１０は、凹部２０と、第１突出部としての突出部２１と、第２突出部としての膨出部２２と、を有する。また、ブリック部１０は、長縁１１と、短縁１２と、奥行縁１３と、を有する。
【００１５】
長縁１１は、ブリック部１０の長手方向に沿う縁であり、壁パネル１に配置された状態で略水平方向に延びる。
短縁１２は、ブリック部１０の短手方向に沿う縁であり、壁パネル１に配置された状態で上下方向に延びる。
奥行縁１３は、ブリック部１０の奥行方向に沿う縁である。壁パネル１に配置された状態で表面側から裏面側へ延びる。
【００１６】
第一面４は、ブリック部１０の上面又は底面に位置する平坦な面である。図２及び３では、上面に位置した場合を例示している。
第二面５は、ブリック部１０の底面又は上面に位置する平坦な面である。図２及び３では、底面に位置した場合を例示している。
一対の側面部６は、ブリック部１０の奥行方向に沿って延びる面である。側面部６は、ブリック部１０が複数隣接して並べられた場合、隣接するブリック部１０の側面部６と向かい合う面である。
【００１７】
裏面部３は、ブリック部１０の背面に配置される平坦な面である。裏面部３は、壁パネル１の背面側に接合されて一体化している。したがって、実際にはブリック部１０は、図２及び図３のように個々切り出されているものではないが、説明の便宜上裏面部３を図示している。
【００１８】
表面部２は、壁パネル１に並べられた状態で外側の面を構成する。図示を省略しているが、表面部２は、例えば石やレンガ等を模した不規則な起伏を有する。図１に示すように、表面部２は、ブリック部１０の正面視では略長方形である。
【００１９】
凹部２０は、表面部２の一部が奥行方向へ窪むように曲面状に形成され、ブリック部１０の長手方向に延びる。図３に示すように、横断面で視た場合、凹部２０は、ブリック部１０の短縁１２の両端側よりもその内側の方が窪むように緩やかな曲率半径の曲面を有する。より詳細には、凹部２０は、短縁１２の中央部よりもやや片側に偏った位置（図３では下側）から、短縁１２の両端部側へ向かって上り傾斜するような曲面を有する。また、凹部２０は、横断面視で対称に形成されておらず、図３に示すように、一方側よりも他方側の方がより表面側に向かって高くなっている。
【００２０】
突出部２１は、ブリック部１０の短手方向の一端側に形成され、長手方向に沿って一方から他方まで延びる。突出部２１は、凹部２０の緩やかな曲面から連続して、凹部２０の曲率半径よりも小さな曲率半径で表面側へ突出するように形成される。図３に示すように、突出部２１は、断面視略三角形の山状に形成された凸部であり、突出部２１における凹部２０から連続する面と、第二面５との間に形成される角度θ１は小さく、鋭角である。
【００２１】
膨出部２２は、ブリック部１０の短手方向の他端側に形成され、長手方向に沿って一方から他方まで延びる。膨出部２２は、短縁１２の他端側に向かって盛り上がる膨らみの部分であり、突出部２１側よりも突出高さが高く形成される。膨出部２２は、突出部２１のような鋭角の凸部を有さない。膨出部２２は、その先端（ブリック部１０の上下方向の端部）側に延出部２２１を有する。
延出部２２１は、断面視で凹部２０の底側から緩やかに表面側へ盛り上がってから、曲線が直線へ切り替わり、第一面４に向かって平坦に延出する面である。
【００２２】
化粧部９は、形状や寸法、素材等は特に問わないが、ブリック部１０と協働して統一的な印象を与えるように構成され、壁パネル１上に配置される複数の凸部である。化粧部９は、化粧部９同士隣接して、又はブリック部１０と隣接して配置される。化粧部９は、例えば、ブリック部１０と同じ素材で、最大厚みがブリック部１０と略同じであり、同系統の色彩を有していてよい。
【００２３】
目地部７は、ブリック部１０や化粧部９が並んで配置された状態で、これらの間に形成される地の部分である。すなわち、目地部７は、ブリック部１０及び化粧部９よりも高さが低く、幅が狭く形成されている。目地部７は、壁パネル１の地の部分である。
【００２４】
図４（ａ）は突出部２１が下側となるように配置された場合を示し、図１（ｂ）は、突出部２１が上側となるように配置された場合を示すブリック部１０の部分斜視図である。
図１及び図４を参照して、本実施形態における壁パネル１について説明する。
図１に示すように、ブリック部１０は、化粧部９とともに長手方向が略水平方向に沿うように並べられる。ブリック部１０及び化粧部９は、不規則に配置される。図１に示すように、壁パネル１は、突出部２１が上側となるように配置されるブリック部１０ｂと、突出部２１が下側となるように配置されるブリック部１０ａとを含むように、上下方向の位置が逆さになったブリック部１０を含んで複数配置される。
【００２５】
ブリック部１０は、例えば、図１に示すように、突出部２１が下側となるように配置されるブリック部１０ａの水平方向に隣接して、突出部２１が上側となるように配置されるブリック部１０ｂが配置される。
また、突出部２１が上側となるように配置されるブリック部１０ｂの上下方向における上方に、突出部２１が下側となるように配置されるブリック部１０ａが配置される。
また、突出部２１が上側となるように配置されるブリック部１０ｂの上下方向における下方に、突出部２１が下側となるように配置されるブリック部１０ａが配置される。
突出部２１が下側となるように配置されるブリック部１０ａ同士が、水平方向に隣接して配置される。
突出部２１が上側となるように配置されるブリック部１０ｂ同士が、水平方向に隣接して配置される。
【００２６】
図４（ａ）に示すようにブリック部１０ａは、突出部２１が下側に配置されている場合、上から照射される太陽光等により、突出部２１よりも厚みがあり表面側に延出している膨出部２２から凹部２０の曲面に、膨出部２２の影ができるので、ブリック部１０ａの上部側から中央側へはやや暗く見える。しかし、膨出部２２の下側で、凹部２０から連続して突出部２１が形成され、ブリック部１０ａの長縁１１の一方から他方まで延びているので、突出部２１に光が反射する。これにより、ハイライトがかかったように、一本の明るい線状の光がブリック部１０ａの下方に反射して見える。
【００２７】
また、ブリック部１０ｂは、突出部２１が上側に配置されている場合、緩やかな曲率半径で盛り上がる膨出部２２が光を受け止めて反射するため、広い面積で明るく見える。一方、突出部２１が上側に配置されると、凹部２０から連続する突出部２１の鋭い頂部により影が突出部２１に隣接する凹部２０に形成され、ブリック部１０ｂの上方に一本の暗い線が形成されるように見える。
【００２８】
このように、同じ形状のブリック部１０を上下逆さまに配置することで、上方の長縁１１が白っぽく光るブリック部１０と、上方の長縁１１が黒っぽく見えるブリック部１０とが壁パネル１内に混在する。
【００２９】
上述のように、壁パネル１内にブリック部１０及び化粧部９を混在させて構成する中で、上述のようにブリック部１０ａ及びブリック部１０ｂを上下左右に隣接させたり、ブリック部１０ａ同士、ブリック部１０ｂ同士を左右に隣接させる。すると、突出部２１により形成される明るい線又は暗い線が上下左右に延出することになり、特徴的な意匠が構成される。
【００３０】
なお、膨出部２２の端部で曲面から平面に切り替わり、延出部２２１が形成されているため、断面視において延出部２２１と第一面４との間に形成される角度θ２が大きくなる（図３参照）。膨出部２２の曲面をそのまま連続させてブリック部１０の第一面４まで延長させる場合と比べると、角度θ２が大きくなるので、壁パネル１を重ねて運搬する際に、膨出部２２が衝突して破損する危険が低減される。
【００３１】
本実施形態によれば、以下の効果が奏される。
本実施形態によれば建物の壁面に設けられ、複数並んで配置される矩形状の壁パネル１を、壁パネル１の縁に対して平行に延びる複数の細長いブリック部１０を含んで構成した。また、ブリック部１０を、ブリック部１０の短手方向の少なくとも一端側において長手方向に延びて形成され、表面側に突出する突出部２１と、突出部２１に隣接して長手方向に延びて形成された曲面状の凹部２０と、を含んで構成し、突出部２１を、凹部２０の曲面に連続し、凹部２０の曲率半径よりも小さな曲率半径を有する曲面を有するように構成した。
【００３２】
本実施形態によれば、ブリック部１０の短手方向の少なくとも一端側に、長手方向に延びる突出部２１が形成されているので、この突出部２１が光を反射したり、逆に影を形成して線状に延びる。また、突出部２１は、曲面状の凹部２０に連続しているので、凹部２０では影や光の明るさが徐々に変化するグラデーションが形成される。よって、ブリック部１０の陰影感が強調され、壁パネル１の意匠性が向上する。また、細長いブリック部１０が、壁パネル１の縁に平行に延びているので、突出部２１が壁パネル１の縁に平行に線状に延びる。これにより、壁パネル１を複数並べて配置したときに、壁パネル１同士が隣接した部分に形成される線状の嵌合部が、突出部２１による影や反射によって目立たなくなる。嵌合部が目立たなくなると、壁パネル１を外側から見る人間の視線が集中する箇所が分散することで、嵌合部自体の視認性が下がる。このため、壁パネル１の製造公差や施工公差が緩和される。
【００３３】
本実施形態によれば、複数のブリック部１０に、突出部２１が上側となるように配置されるブリック部１０ｂと、突出部２１が下側となるように配置されるブリック部１０ａと、を含めた。突出部２１の形成されたブリック部１０を、複数並べて隣接して配置する際に、上下逆さまに配置して混在させることで、光を反射する突出部２１と、影を形成する突出部２１とが、壁パネル１を並べた面に分散して配置されることとなる。これにより、特徴的な陰影感を表現することができ、意匠性が向上する。
【００３４】
本実施形態によれば、複数の化粧部９をさらに有し、ブリック部１０を、互いに隣接するように複数配置した。ブリック部１０と化粧部９を混合して並べて配置し、ブリック部１０同士がブリック部１０の上下左右のいずれかで必ず隣接するように配置すると、ブリック部１０に形成されている突出部が上下左右のいずれかの方向に連続することで、突出部２１により形成される影又は光に連続性がもたらされ、壁パネル１の縁に沿う線が強調される。よって、嵌合部の視認性がより緩和される。
【００３５】
本実施形態によれば、ブリック部１０を、短手方向の他端側において長手方向に延びて形成され、突出部２１よりも突出高さが高い膨出部２２を含んで構成した。これにより、ブリック部１０の他端側、すなわち突出部２１が形成されていない側の膨出部２２が、突出部２１よりも高く表面側に膨出するので、膨出部２２によって表面部２の広い面積に光が反射する部分や、影の部分が形成される。よって、壁パネル１に複雑な陰影が形成され、意匠性が向上する。
【００３６】
なお、本発明は上記実施形態に限定されるものではなく、本発明の目的を達成できる範囲での変形、改良等は本発明に含まれる。
例えば、上記実施形態では、第一面４及び第二面５は平坦な面であり、突出部２１と第一面４、及び膨出部２２と第二面５との間に鋭角の角度θ１、θ２、が形成される点が説明されているが、これに限られない。ブリック部１０の凹部２０から突出部２１が連続し、凹部２０の曲率半径よりも小さな曲率半径で突出していれば、第一面及び第二面は必ずしも平坦な面でなくてもよく、丸みを帯びていてもよい。
【符号の説明】
【００３７】
１      壁パネル
９      化粧部
１０    ブリック部
２０    凹部
２１    突出部（第１突出部）
２２    膨出部（第２突出部）
【図１】
2018105056.tif 000003
【図２】
2018105056.tif 000004
【図３】
2018105056.tif 000005
【図４】
2018105056.tif 000006